(57)【要約】【課題】皮膚表面に貼付しやすいマイクロニードルパッチを提供する。【解決手段】保護離型シート１２の内側に１ないし複数の穴１４を設け、その穴に基板が柔軟なマイクロニードルパッチを保持する。保護離型シートの内側の穴が１個でも、複数のマイクロニードルパッチを保持することもできる。また保護離型シートに複数の穴を設け、複数のマイクロニードルパッチを保持することもできる。該穴とマイクロニードルアレイ基板との間に隙間を設ければ、保護離型シート剥ぎ取りの際のマイクロニードルアレイ基板の破損を防止できる。保護離型シートからマイクロニードルアレイを取り出して皮膚表面に置き、マイクロニードルアレイ面１１を軽く圧迫することにより、マイクロニードル１１が皮膚角質内に刺入される。【選択図】図１
2020192411.tif 000002
【特許請求の範囲】
【請求項１】
基板が柔軟なマイクロニードルアレイ、該基板の背面を覆う粘着シート、及び内側に１ないし複数の穴を有し、その穴に該基板が柔軟なマイクロニードルアレイを保持する保護離型シートを備えるマイクロニードルパッチと、
該マイクロニードルパッチの保護離型シート部分を上下から挟んで保持する保護ケースとからなる、マイクロニードルパッチシステム。
【請求項２】
前記保護離型シートが内側に１個の穴を有し、基板が柔軟なマイクロニードルアレイを複数保持する請求項１に記載のマイクロニードルパッチシステム。
【請求項３】
前記保護離型シートが内側に複数の穴を有し、基板が柔軟なマイクロニードルアレイを複数保持する請求項１に記載のマイクロニードルパッチシステム。
【請求項４】
前記保護離型シートが前記穴と前記柔軟なマイクロニードルアレイ基板との間に隙間を有し、該隙間によりマイクロニードルアレイ基板の破損を防止することを特徴とする請求項１から３のいずれか１項に記載のマイクロニードルパッチシステム。
【請求項５】
前記保護ケースが前記マイクロニードルパッチの保護離型シート部分を上下から挟んで保持することにより、マイクロニードルの針面を浮かして固定する構造の蓋つき保護ケースである、請求項１から４のいずれか１項に記載のマイクロニードルパッチシステム。
【発明の詳細な説明】
【技術分野】
【０００１】
本発明は、マイクロニードルパッチの保護離型シートに関する。
【背景技術】
【０００２】
薬物を人の体内に投与する手法として、経口的投与法と経皮的投与法がある。代表的な経皮的投与法は注射であるが、注射は苦痛を伴い更に感染もあり得るため、歓迎すべからざる手法である。これに対し、最近マイクロニードルアレイを利用した、苦痛を伴わない経皮的投与法が注目されてきた（特許文献１、非特許文献１）。
【０００３】
皮膚角質層は薬物透過のバリアとして働き、単に皮膚表面に薬物を塗布するだけでは薬物は十分に透過しない。これに対し微小な針、すなわちマイクロニードルを用いて角質層を穿孔することにより、塗布法より薬物透過効率を格段に向上させることができる。このマイクロニードルを基板上に多数集積したものがマイクロニードルアレイである。また、マイクロニードルアレイを皮膚に付着させるための粘着シートや、粘着シートを保護しマイクロニードルアレイを皮膚に貼付するさいの支えとするための保護離型シートなどを付加して使用しやすい製品としたものをマイクロニードルパッチという。ここに粘着シートとは、フィルム、布又は紙に粘着剤を塗布したものをいう。
【０００４】
糖質など体内で溶解し代謝により消失する物質を素材としてマイクロニードルを作成すれば、仮にニードルが折れ皮膚内に残存したとしても事故とはならない。そればかりか、糖質中に薬物を含ませておくならば、刺入されたマイクロニードルが体内で溶解されることにより、容易に薬物を皮内や皮下に投与することができる（特許文献２）。
【０００５】
保護離型シートは、マイクロニードルパッチの粘着面に付され、マイクロニードルを刺入する際、マイクロニードルパッチは粘着シート背面（粘着剤の付されていない面）と保護離型シートとを指で挟み持ち、保護離型シートを剥ぎつつ皮膚に貼付する。この保護離型シートを剥ぐ際、マイクロニードルに指を接触させてはならない。
【０００６】
マイクロニードルを使用しない通常の貼付剤では、粘着剤全面に保護離型シートを貼り付けるのが通例である。このさい保護離型シートに切断線を入れ、保護離型シートを手で持って貼付剤全体を外に凸に曲げて保護離型シートを剥ぎつつ貼付剤を皮膚に貼付することが行われている。しかし従来のマイクロニードルパッチでは、マイクロニードルアレイの基板が硬く外に凸に曲げることができなかったため、曲げながら保護離型シートを剥がすことは不可能であった。
【先行技術文献】
【特許文献】
【０００７】
【特許文献１】特表２００２−５１７３００号公報
【特許文献２】特開２００３−２３８３４７号公報
【非特許文献】
【０００８】
【非特許文献１】権英淑、神山文男「マイクロニードル製品化への道程」、薬剤学、社団法人日本薬剤学会、平成２１年９月、第６９巻、第４号、ｐ．２７２−２７６
【発明の概要】
【発明が解決しようとする課題】
【０００９】
最近柔軟な基板を有するマイクロニードルアレイが開発され、このマイクロニードルパッチの皮膚貼付を容易にする工夫が求められている。柔軟な基板を有するマイクロニードルパッチを皮膚に貼付するには、保護離型シートと粘着シート背面を指で挟み持ち、保護離型シートをマイクロニードルパッチから剥いで皮膚に貼付する。この際、保護離型シートを剥ぐ際指が粘着面やマイクロニードルと接触し、マイクロニードルを汚す危険がある。
【課題を解決するための手段】
【００１０】
上記課題を解決するためになされた本発明に係るマイクロニードルパッチの保護離型シートは、内側に１ないし複数の穴を有し、その穴に基板が柔軟なマイクロニードルパッチを保持することを特徴とする。
【００１１】
保護離型シートが穴を有するのは、マイクロニードルの上に保護離型シートが被っては困るからであり、マイクロニードルパッチがマイクロニードルを使用しない通常の貼付剤と異なる配慮を必要とするためである。保護離型シートの穴の大きさは、マイクロニードルパッチの針を傷つけないようにマイクロニードルパッチよりも大きく、穴の中にマイクロニードルアレイがすっぽりと入ることが好ましい。
保護離型シートは粘着シート上に置かれるものであるから、その穴は粘着シートより小さく、粘着シートの周辺部を覆うことが好ましい。
【００１２】
保護離型シートの穴は、マイクロニードルアレイより若干大きくすることができる。保護離型シートとマイクロニードルアレイの間の隙間には粘着テープのみが存在し、その隙間の幅は０．３〜３ｍｍとすることが好ましい。この隙間の存在により、保護離型シートを剥ぎ取るとるさいのマイクロニードルアレイの破損を防ぐことができる。この隙間は０．３ｍｍより小さくてはその効果を奏せず、３ｍｍより大きいと保護離型シートを容器内に保持しようとしたとき粘着テープが曲がり、マイクロニードルアレイが垂れ下がり、マイクロニードルが容器と接触する危険がある。
【００１３】
１つの保護離型シートにより複数のマイクロニードルアレイを保持することができる。この場合、マイクロニードルアレイの数だけの穴を有することが好ましいが、１つの穴に複数のマイクロニードルアレイを保持することも可能である。
【００１４】
切断線は、基本的には保護離型シートの外縁と穴とを結ぶものであって、直線的に結ぶか曲線的に結ぶかは問わない。切断線は典型的には１つの穴に対し２つであるが、１つあるいは３つでも差し支えない。切断線は、正確に穴の中心部に向かっていることは必要とせず、穴の中心部から多少ずれた位置ないし方向であっても差し支えない。なお、場合によっては１つの穴から他の穴に向かう切断線があると好都合である。
切断線はすでに切り離されたスリットであってもよいが、ミシン目が入った容易に切り離せる線であってもよい。
【００１５】
保護離型シート外縁部の切断線の位置に切り込みがあってもよい。切り込みがあると切断線位置からの切断や剥ぎ取りが容易となる。切り込みは直線状であっても曲線状であってもよい。
【００１６】
本発明のマイクロニードルは、ヒアルロン酸やコラーゲンのような生体内溶解物質を素材とし、マイクロニードルの長さは典型的には３０−１０００μｍである。マイクロニードルアレイの基板の大きさは特に限定する必要はないが、典型的には基板面積０．５〜４０ｃｍ２、基板厚み１０〜２０００μｍである。またその形状は円形、楕円形、勾玉形、フェイス状マスクなど種々の形状が可能である。
【００１７】
保護離型シートは、ポリエステル、ポリオレフィン、紙、等の片面に離型処理したものを用いることができ、その形状に制限はないが中央部にマイクロニードルパッチよりも大きく粘着シートよりも小さな穴があることが必要である。厚さは３０〜１，０００μｍ、好ましくは５０〜５００μｍが望ましい。厚さが３０μｍより薄いと取り扱いに不便であり、１，０００μ以上では厚すぎて保護離型シートを剥ぐのに困難なことがある。
【００１８】
マイクロニードルパッチの粘着シートは、基材としてポリウレタン、ポリエチレン、ポリエステル、紙等を用いることができ、厚さ5〜50μｍのフィルム上にアクリル系ないしはゴム系粘着剤を5〜50μｍ塗布したものである。その形状は特に制限はないが、マイクロニードルアレイの形状に類似させて円形、楕円形、勾玉形、フェイス状が好ましい。
【００１９】
保護離型シートの切断線の片側又は両側に、その位置から保護離型シートを剥ぐべきことを示す記号を入れてもよい。記号としては矢印がわかりやすく適当である。
【００２０】
マイクロニードルパッチは保護ケースに収納されてマイクロニードルパッチシステムとして保存・輸送される。保護ケースはマイクロニードルを保護し傷つけないように、針面は浮かして固定する構造の蓋つき保護ケースを用いる必要がある。そのための具体的方法として、保護離型シートを上下から挟み、マイクロニードルパッチを支持することが好ましい。保護ケースはポリエステルシートの加熱圧縮成形で作成するのが好ましい。
【発明の効果】
【００２１】
保護離型シートに切断線を設けることにより、マイクロニードルパッチを皮膚に貼付する際、保護離型シートの切断線の両側を両手に持ち、一方の手でマイクロニードルパッチを外に凸に曲げて保護離型シートから粘着シート付のマイクロニードルパッチを剥いで取り出し、皮膚に容易に貼付することができる。これにより指でマイクロニードルに接触し、マイクロニードルを汚すといった事故を防止できる。
【００２２】
保護離型シートとマイクロニードルアレイの間に隙間を設けることにより、保護離型シートを勢いよく剥ごうとしたときに、マイクロニードルアレイまでも引き裂いてしまうことを防止できる。これによりマイクロニードルパッチを安全に取り扱うことができる。
【００２３】
保護離型シートの外縁部の切断線の位置に切り込みを設け、あるいは矢印を付すことにより、マイクロニードルパッチの取扱が容易となる。その結果マイクロニードルパッチの取扱に不慣れな者も、容易にマイクロニードルアレイを皮膚に適用できる。
【図面の簡単な説明】
【００２４】
【図１】１つのマイクロニードルアレイ用の保護離型シートの図。構成を明確とするため断面図と平面図を示している。
【図２】マイクロニードルアレイの両方の側に縦方向に切断線を入れた保護離型シートを有するマイクロニードルパッチの図
【図３】保護離型シートの切断線をミシン目とし、切断線の両側に矢印を入れたマイクロニードルパッチの図
【図４】２つのマイクロニードルアレイ用の保護離型シートの図
【図５】２つのマイクロニードルアレイ用の保護離型シートの別の例の図
【図６】２つのマイクロニードルアレイ用の保護離型シートの第３の例の図
【図７】２つのマイクロニードルアレイ用の保護離型シートの第４の例の図
【図８】２つのマイクロニードルアレイ用の保護離型シートの第５の例の図
【図９】２つのマイクロニードルアレイ用の保護離型シートの第６の例の図
【図１０】保護ケースの中にマイクロニードルパッチを収納した図
【発明を実施するための形態】
【００２５】
次に、本発明を図面を参照して詳細に説明するが、本発明は実施例に限定されるものではない。
【実施例１】
【００２６】
本実施例のマイクロニードルパッチを図１に示す。マイクロニードルアレイ１１は、図１に示すように、楕円形の平面形状をしており、横幅約６５ｍｍ、縦幅３０ｍｍである。このマイクロニードルは柔軟な基板上に設けられており、マイクロニードルアレイ全体として皮膚の凹凸に合わせて変形させることができる。
マイクロニードルのサイズは限定ではないが、長さ３０〜１０００μｍのニードルが５０〜５００本／ｃｍ２程度備えられている。主成分はヒアルロン酸であるが、皮膚のしわ取りや若返り活性化に有効な成分を含んでいてもよい。図を見やすくするため、図１の平面図ではマイクロニードルを省略し、側面図では本数を簡略化している。
【００２７】
粘着シート１３はマイクロニードルアレイ背面（図１では紙面の裏側）に備えられており、マイクロニードルアレイより一回り大きい楕円形である。図１の平面図に示されるように、粘着テープの中心部に楕円形の穴があり、マイクロニードルアレイの中心部は粘着テープで覆われていない。粘着テープの横幅は１００ｍｍである。図１の側面図では、粘着テープ１３は灰色の帯で示され、粘着剤が付された粘着面１６が実線で示されている。また、平面図で粘着テープ１３の輪郭が点線で示されているのは、裏面に付されていることを示すためである。
【００２８】
保護離型シート１２は、横幅１２０ｍｍ、縦幅７０ｍｍの長方形の形状をしており、中央に穴１４を有している。穴の大きさはマイクロニードルアレイより大きく、側面図に示されるようにマイクロニードルアレイと離型シートの間には隙間１６が空いており、粘着テープの粘着面の一部がむき出しになっている。また、保護離型シートは粘着シートより大きく、粘着シートを超えて広がっている。
保護離型シートの切断線１５は、離型シートの左右にその外縁から穴に向かって設けられている。保護離型シートは切断線により２分されている。
【００２９】
マイクロニードルパッチの使用に際して、保護離型シート１２のどちらかの切断線をはさんだ両端を持ち、保護離型シートを切断線に沿って粘着シートから剥離させると粘着シートは保護離型シートから容易に剥がれ、マイクロニードルアレイ１１を粘着シート１３により皮膚に貼付することができる。その後、マイクロニードルアレイ１１面を軽く圧迫することにより、マイクロニードルが皮膚角質内に刺入される。この刺入により痛みを感じることは殆どない。
【実施例２】
【００３０】
本実施例に用いたマイクロニードルパッチを図２に示す。マイクロニードルアレイ２１の形状が勾玉型となっている点を除き、材質や使用方法は実施例１と同じである。図３はマイクロニードルの面を表として表記しており、粘着シート２２はマイクロニードルアレイ及び保護離型シートの裏面に付されているので破線で記載している。実施例３〜９でも同様である。本実施例の粘着シート２２は、粘着シートのマイクロニードルアレイをなるべく目に近づけて貼付するため、底の部分の幅が狭くなっている。本実施例の保護離型シート２３の穴はマイクロニードルアレイ２１に密着しており、間に隙間を設けていない。
【００３１】
保護離型シート２３は、縦方向に切断線２４を有し、また切断線の外縁付近に三角形状の切り込みを有している。この切り込みにより、保護離型シートの剥ぎ取りがより容易となる。なお、切り込みの形状は三角形状に限定されず、円弧状や楕円弧状等であってもよい。
【００３２】
このマイクロニードルパッチを使用する際は、保護離型シート２３中央の上下部分に切断線２４を設けているので、保護離型シートの切断線をはさんで両端を持ち、保護離型シートの切断線を開くように広げながら剥ぎ取ったマイクロニードルアレイ付の粘着シートを貼付部位（目の下）に接触させれば、粘着シート２２により粘着する。その後、マイクロニードルアレイ２１面を軽く圧迫することにより、マイクロニードルが皮膚角質内に刺入される。
【実施例３】
【００３３】
本実施例の保護離型シートは、図３に示すように、保護離型シートの切断線がミシン目である。切断線がミシン目であると、マイクロニードルパッチ貼付前に保護離型シートが不用意に切断されてマイクロニードルパッチを落下させるような事故を防止できる。
また切断線の両側に保護離型シート剥ぎ取り開始位置を示す矢印が付されている。マイクロニードルパッチの使用に不慣れな使用者であっても、この矢印により容易に保護離型シートの剥ぎ取り開始位置を判断できる。なお、剥ぎ取り開始位置を示す記号は矢印に限定されず、星印等であっても差し支えない。
【実施例４】
【００３４】
本実施例の保護離型シートは、図４に示すように、２個の円形のマイクロニードルアレイ３１，３１を備えている。それぞれ粘着シート３２，３２がマイクロニードルアレイと保護離型シート３３の裏面に備えられている。切断線は各マイクロニードルアレイに１個づつ備えられており、実施例１〜３のマイクロニードルパッチと同様に１個づつ皮膚に貼付することができる。
なお、図４ではマイクロニードルの記載を省略している。
【実施例５】
【００３５】
本実施例の保護離型シートは、図５に示すように、１個の穴の中に２個のアレイ型マイクロニードルアレイ４１，４１を備えている。各マイクロニードルアレイは、背面に粘着シート４２、４２を備えているが、この粘着シートはマイクロニードルアレイの背面全体を覆ってはいない。保護離型シート４３には切断線４４が２本備えられている。実施例４のマイクロニードルパッチと同様に、１個づつ皮膚に貼付できる。
なお、図５ではマイクロニードルの記載を省略している。
【実施例６】
【００３６】
本実施例の保護離型シートは、図６に示すように、２個の穴の中にそれぞれ１個のマイクロニードルアレイ５１、５１を備えている。各マイクロニードルアレイは、背面にマイクロニードルアレイの背面全体を覆う粘着シート５２、５２を備えている。保護離型シート５３は、切断線５４、５４を２本備えている。２本の切断線の内１本は保護離型シートの外縁から１つの穴に向かい、他の１本は上の穴から下の穴に向かっているのが特徴である。この保護離型シートの穴はマイクロニードルアレイより若干大きく、保護離型シートとマイクロニードルアレイの間に隙間を設け、マイクロニードルパッチの取り出しを容易としている。
実施例４、５のマイクロニードルパッチと同様に、１個づつ皮膚に貼付できるが、まず外縁から延びている切断線に沿って切断して図６で上に示されているマイクロニードルパッチを取り出し皮膚に貼付し、次いで上の穴から下の穴に向かって延びている切断線を切断して図６で下に示されているマイクロニードルパッチを取り出し皮膚に貼付する。
【実施例７】
【００３７】
本実施例の保護離型シートは、図７に示すように、２個の穴の中にそれぞれ１個の勾玉型マイクロニードルアレイ６１、６１を備えている。各マイクロニードルアレイは、背面にマイクロニードルアレイの背面全体を覆う粘着シート６２、６２を備えている。保護離型シート６３は、切断線６４、６４を２本備えている。２本とも保護離型シートの外縁から穴に向かっている。実施例４〜６のマイクロニードルパッチと同様に、切断線から保護離型シートを切断してマイクロニードルパッチを取り出し１個づつ皮膚に貼付できる。
【実施例８】
【００３８】
本実施例の保護離型シートは、図８に示すように、２個の穴の中にそれぞれ１個のマイクロニードルアレイ７１、７１を備えている。各マイクロニードルアレイは、背面にマイクロニードルアレイの背面全体を覆う粘着シート７２、７２を備えている。保護離型シート７３は、切断線７４、７４を２本備えている。２本の切断線の保護離型シート上の位置が実施例６とは異なっている。この保護離型シートの穴はマイクロニードルアレイより若干大きく、保護離型シートとマイクロニードルアレイの間に隙間を設け、マイクロニードルパッチの取り出しを容易としている。
実施例４〜７のマイクロニードルパッチと同様に、切断線から保護離型シートを切断してマイクロニードルパッチを取り出し１個づつ皮膚に貼付できる。
【実施例９】
【００３９】
本実施例の保護離型シートは、図９に示すように、２個の穴の中にそれぞれ１個のマイクロニードルアレイ８１、８１を備えている。各マイクロニードルアレイは、背面にマイクロニードルアレイの背面全体を覆う粘着シート８２、８２を備えている。保護離型シート８３は、切断線８４、８４を２本備えている。２本の切断線の保護離型シート上の位置が実施例６、８とは異なっている。この保護離型シートの穴はマイクロニードルアレイより若干大きく、保護離型シートとマイクロニードルアレイの間に隙間を設け、マイクロニードルパッチの取り出しを容易としている。
実施例４〜８のマイクロニードルパッチと同様に、切断線から保護離型シートを切断してマイクロニードルパッチを取り出し１個づつ皮膚に貼付できる。
【００４０】
マイクロニードルパッチは製造から使用までの間、汚染やニードルの破損を防止するため専用の保護ケースに入れて取り扱う必要がある。専用の保護ケースは、マイクロニードルパッチを保護離型シートでのみ挟んで保持し、マイクロニードルパッチのニードル部分とは接触してはならない。また、使用の際容易に指でつまんで取り出すことが可能でなければならないので、図１０に示すように保護ケースの底から浮かして保持するのが好ましい。
【符号の説明】
【００４１】
１１、２１、３１、４１、５１、６１、７１、８１  マイクロニードルアレイ
１３、２２、３２、４２、５２、６２、７２、８２  粘着テープ
１２、２３、３３、４３、５３、６３、７３、８３  保護離型シート
１４  穴
１５、２４、３４、４４、５４、６４、７４、８４  切断線
１６  隙間
【図１】
2020192411.tif 000003
【図２】
2020192411.tif 000004
【図３】
2020192411.tif 000005
【図４】
2020192411.tif 000006
【図５】
2020192411.tif 000007
【図６】
2020192411.tif 000008
【図７】
2020192411.tif 000009
【図８】
2020192411.tif 000010
【図９】
2020192411.tif 000011
【図１０】
2020192411.tif 000012